(57)【要約】      （修正有）【課題】吸水能と柔軟性と快適性に優れた構造を有する吸収マットを提供する。【解決手段】複数の層を含み、該複数の層は少なくとも１つの吸収層１２と、微生物の活性を抑制するための銀コロイド又は銀イオン含有材料で処理された材料からなる少なくとも１つの層１６とを含んで吸収マットを形成する。好ましくは、前記マットは２つの吸収層を含み、上表層として機能する第１の吸収層と、マット上に置かれる物体の形状又は重量に適合可能な第２の吸収層１４とを含む。また、前記マットは滑り特性を減少させる下表層１８をさらに含む。【選択図】図２
0003171674.tif 000002
【実用新案登録請求の範囲】
【請求項１】
複数の層を含み、該複数の層は少なくとも１つの吸収層と、微生物の活性を抑制するための銀コロイド又は銀イオン含有材料で処理された材料からなる少なくとも１つの層とを含むことを特徴とする、吸収マット。
【請求項２】
２つの吸収層を含み、上表層として機能する第１の吸収層と、マット上に置かれる物体の形状又は重量に適合可能な第２の吸収層とを含むことを特徴とする、請求項１に記載の吸収マット。
【請求項３】
滑り特性を減少させる下表層をさらに含むことを特徴とする、請求項２に記載の吸収マット。
【請求項４】
前記上表層の下に前記第２の吸収層が配置され、該第２の吸収層の下に前記銀コロイド又は銀イオン含有材料で処理された層が配置され、その下に前記下表層が配置されることを特徴とする、請求項３に記載の吸収マット。
【請求項５】
前記銀コロイド又は銀イオン含有材料は、ナノ粒子から形成されることを特徴とする、請求項１ないし４のいずれか１つに記載の吸収マット。
【考案の詳細な説明】
【技術分野】
【０００１】
本考案は、マットに関する。
【背景技術】
【０００２】
浴室又はトイレのような湿度の高い場所で使用されるマットは、一般的には、吸水可能な材料から作られている。かかる材料は、一旦湿ると、細菌、菌類及びかびなどの病原菌を繁殖させる微生物活性（ｍｉｃｒｏｂｉａｌ  ａｃｔｉｖｉｔｙ）の状態となることが知られている。
【０００３】
また、現在市販されているマットは、優位な特質を１つしか有していない傾向にあるように見受けられる。例えば、あるマットは優れた滑り防止裏地を有しているが、高い快適性又は吸水性は有していない場合がある。
【考案の概要】
【考案が解決しようとする課題】
【０００４】
本考案は、既知のマットの前述の欠点を少なくともある程度、解消しようとするものである。
【課題を解決するための手段】
【０００５】
本考案の一局面によれば、複数の層を含み、該複数の層は少なくとも１つの吸収層と、微生物の活性を抑制するための銀コロイド又は銀イオン含有材料で処理された材料からなる少なくとも１つの層とを含むことを特徴とする、吸収マットが提供される。
【０００６】
好ましくは、前記マットは、２つの吸収層を含み、上表層として機能する第１の吸収層と、マット上に置かれる物体の形状又は重量に適合可能な第２の吸収層とを含む。
【０００７】
より好ましくは、前記マットは、滑り特性を減少させる下表層をさらに含む。
【考案を実施するための形態】
【０００８】
本考案について、例示的に、添付の図面を参照しながら、以下に説明する。
【図面の簡単な説明】
【０００９】
【図１】本考案によるマットの斜視図。
【図２】図１のマットの断面図。
【実施例】
【００１０】
図１及び２を参照すると、床又は椅子に使用する、細菌、菌類及びかびなどの微生物の繁殖を抑制するために設けられた吸収マット10が示されている。
【００１１】
前記マット10の形状及び大きさは望ましい任意の大きさ又は形状に変更される場合があるが、図１を参照すると、該マット10は長方形の形状で示されている。
【００１２】
図２を参照すると、本考案による前記マット10の断面図が示されている。以下に説明するように、前記マット10は異なる材料の複数の層12、14、16、18を含む。
【００１３】
前記マット10の上層12は、吸収性があり、柔軟で、高い通気性を有する材料を含む。前記上層12は水分を吸収し、空気が下部の層14、16を通過できるように設けられる。
【００１４】
前記上層12は、好ましくは、該上層12の上述の好適な特性を有するポリエステル繊維を含む。
【００１５】
より好ましくは、前記上層はポリエステル繊維とアクリル繊維との混合物を含む。前記アクリル繊維の含有量は、前記上層を形成する材料の好ましくは１０ないし３０％の範囲内であり、より好ましくは１５ないし２５％の範囲内である。最も好ましくは、前記アクリル繊維の含有量は、前記上層を形成する材料の約２０％である。比較的少量のアクリル繊維を含有することにより、吸水能と柔軟性と快適性とが大幅に改善された前記上層12が提供される。
【００１６】
前記第２の層14は、好ましくは、吸収性と、高い通気性と、マットの上に置かれる物体に弾性的に適合する能力とを有する材料を含む。
【００１７】
前記第２の層は、好ましくは、該第２の層14の上述の好適な特性を有するメモリーフォーム（ｍｅｍｏｒｙ  ｆｏａｍ）を含む。
【００１８】
本考案の好ましい１実施態様では、前記第２の層14は、吸収性と、高い通気性と、マットの上に置かれる物体に層を適合させる弾力とを有するポリウレタン樹脂メモリーフォームを含む場合がある。
【００１９】
前記発泡材料の記憶機能により、例えば前記マット10の上に立つ人などの前記物体の形状及び重量に応じて、前記第２の層14が変形する。よって、前記発泡材料は前記マット10を体の輪郭に適合させると共に、前記発泡材料の弾力性により前記マット10が人の体重を吸収することを可能にする。また、前記発泡材料は、前記マット10に接している人の体の１部位又は複数の部位の体温を保持する機能を有する。さらに、前記メモリーフォームは、前記物体がなくなると、元の位置に戻ることができる。よって、前記第２の層14により、前記マット10は使用者の個々の特徴に合わせ、快適さを提供することができる。
【００２０】
前記第３の層16は、好ましくは、銀コロイド又は銀イオン含有材料で処理された材料など、微生物の繁殖を抑えるために処理された材料を含む。コロイド銀粒子又は銀イオンは、細菌、菌類及びかびなどの微生物の繁殖を抑制する効果的な手段となる。また、前記コロイド銀粒子又はコロイド銀含有材料は、銀のナノ粒子を含む場合がある。
【００２１】
好ましくは、前記第３の層16は、以下の特性を有する材料を含む場合がある。
合成繊維            ６０−７０重量％
ビスコース          ２０−３０重量％
コロイド銀粒子      ３−５重量％
アニオン性粉末      ５−１５重量％
【００２２】
上述のアニオン性粉末は高いアニオン含有量か、高いアニオン発生能かを有する粉末であり、一例としてトルマリン鉱石に関連するトルマリン粉末が挙げられる。
【００２３】
前記下層18は、好ましくは、（特に、湿潤環境で）固い表面での滑り特性を減少させ、高い通気性を有すると共に、防水性である材料を含む。
【００２４】
前記下層18は、好ましくはゴム材料、より好ましくはネオプレン物質、最も好ましくはネオプレン及びスチレンブタジエンゴムから形成される。
【００２５】
前記下層18は、下方にエンボス加工された模様を有する場合がある。
【００２６】
使用するとき、前記マット10の別々の層は、典型的には、接した状態で配置された後、その外周が縫い合わされる。マットの形状により必要に応じて、縫い目がさらに加えられる場合がある。
【００２７】
前記マット10は、例えば、長時間水と接触する又は皮膚に触れる可能性が著しく高い場所など、微生物活性の可能性が増大する場所で使用される場合がある。かかる場所に配置されると、前記マット10は、接触した多量の水分を吸収する。
【００２８】
例えば、前記マット10が床に置かれ、シャワーを浴び終わった人が身体を乾かす間、該マット10の上に立って使用する場合があり、水滴状の水が前記マット10の上に落下し、前記上層12によって吸収される。
【００２９】
明らかなように、前記第２の層14は前記マット上に立つ人の足の曲線に合わせてフィットし、該層に熱を保持し、押圧する人の体重に弾性的に適合することにより次回使用するために元の位置に戻ることができる。
【００３０】
前記第３の層16について、前記銀コロイド又は銀イオン含有材料は、湿ると、抗菌作用を有する銀イオンを放出する働きがあることが確認された。前記銀イオンは、細菌、菌類及びかびなどの微生物の繁殖を抑制する作用がある。
【００３１】
湿った場所では、主に浴室で一般的に使用される、特にタイルなどの固い床で、マットは滑りやすい傾向がある。本考案の前記マット10の前記下層18は、固い表面に吸着し、滑りにくいゴムから選択される。また、前記下層18には、さらに床にしっかりと吸着させ、滑りを防ぐために、エンボス加工された模様が形成されることが好ましい。
【００３２】
本明細書に記載されるとおり、本考案は特定の順番で配置された複数の層を有するが、該層を多数の異なる組合せで配置することで、同様の結果が達成されることは当業者には明らかである。
【００３３】
本考案による前記マット10の利点は、（12、14、16及び18の順番であるが、この順番でなくてもかまわない）層の前記組合せにより、該マット10が（例えば、高い吸水性、柔軟性及び支持力、抗菌及び滑り止め等の）多くの望ましい特性を同時に有することである。かかる特性が、別々に、又は全てが同時に発揮される場合がある。
【００３４】
当業者に明らかである改変及び変形は、本考案の範囲内であると考えられる。
【図１】
0003171674.tif 000003
【図２】
0003171674.tif 000004